(57)【要約】【課題】  容器の中の商品が見えやすく、かつ、こじ開けることができない錠付きの容器を提供することを目的とする。【解決手段】  容器本体２の底部の縁に延出板２ａを形成するとともに、蓋３に鍔３ａを形成し、延出板２ａと鍔３ａとを容器の底部において重ね、容器の側面からも容器の中の商品が見えるようにする。また、延出板２ａと鍔３ａとの重ね目を嵌合溝４ｂで覆い、重ね目の露出を少なくして、こじ開けることができないようにする。さらに、容器本体２に切欠き２ｂを形成し、固定部材４に板ばね４ｃを取り付けて、切欠き２ｂに板ばね４ｃを掛止して施錠するようにし、この板ばね４ｃを磁石から成る鍵でもって引き付けて、板ばね４ｃを切欠き２ｂから外して解錠するようにする。【選択図】      図１
2006143315.tif 000002
【特許請求の範囲】
【請求項１】
開口を有する容器本体（２）と、この容器本体の外側に嵌まり前記開口を塞ぐ蓋（３）と、この蓋と容器本体とを固定する固定部材（４）とを備え、
前記容器本体の底部の縁に延出板（２ａ）を形成し、
前記蓋の端部に鍔（３ａ）を形成し、
前記蓋を前記容器本体に嵌めることで前記鍔と前記延出板とを重ね、この重ねた鍔と延出板とを前記固定部材に形成した嵌合溝（４ｂ）に差し込み、固定部材と容器本体に設けた錠構造によって着脱可能に固定することを特徴とする錠付き容器（１）。
【請求項２】
前記錠構造が、前記固定部材に取り付けた板ばね（４ｃ）と、
前記容器本体に形成した切欠き（２ｂ）とを備えて構成され、
前記板ばねを磁石から成る鍵（７）によって前記切欠きから外すことで錠を開けるようにしたことを特徴とする請求項１に記載の錠付き容器（１）。
【請求項３】
前記錠構造を少なくとも２箇所に設け、かつ、それぞれの錠構造を隔て配置することを特徴とする請求項１または請求項２に記載の錠付き容器（１）。
【請求項４】
前記容器本体（２）と前記固定部材（４）とが対向する面のいずれか一方に、盗難防止タグ（４ｆ）を取り付けたことを特徴とする請求項１から請求項３のいずれか１項に記載の錠付き容器（１）。
【発明の詳細な説明】
【技術分野】
【０００１】
この発明は、錠付きの容器に関し、特に、商品の盗難防止に役立つ容器に関する。
【背景技術】
【０００２】
商品を陳列する場合には、商品を盗まれないように、いろいろな盗難防止対策が採られている。盗難防止用のタグ（荷札）もその一例であり、商品にあらかじめ盗難防止タグを取り付け、代金の支払いと引替えに商品から盗難防止タグを取り外すようにしている。この盗難防止タグは、店の出口に設置した盗難防止警報装置によって感知されるため、盗難防止タグが付いたままの商品が店から持ち出されると警報が鳴り、盗難を未然に防止できるようになっている。しかし、この盗難防止タグでは、商品から盗難防止タグを取り外すことによって、または、盗難防止タグが付いた容器から商品を抜き取ることによって商品を盗まれてしまう。
【０００３】
そこで、容器を無断で開けられないように、容器にかぶせる盗難防止機能付きのカバーが提案されている（例えば、特許文献１参照）。このカバーは、容器の底面と、側面と、上面の縁とを覆うように形成された箱状のカバーである。そして、このカバーの一側面が鍵によって取外し可能になっていて、この一側面を取り外して容器を出し入れするようになっている。
【０００４】
また、容器自体に錠を備えて、容器を無断で開けられないようにした盗難防止機能付きの容器も提案されている（例えば、特許文献２参照）。この容器は、本体ケースと蓋とから成り、蓋が本体ケースの一端に開閉可能に取り付けられている。そして、容器の側面に開口を有し、その開口に盗難防止タグを取り付けたロック板を差し込むと、ロック板に形成した挟持片が本体ケースと蓋の内側に形成した突起を挟むようにして嵌まり、蓋が開かない構造になっている。また、ロック板は、板バネを備え、板バネが蓋に形成した係止部に係止して、鍵がなければロック板を容器から引き抜くことができないようになっている。
【特許文献１】特開平１１−１９３０８６号公報（段落００１７〜００２０、図５）
【特許文献２】特開２００３−１５５０８５号公報（段落００１０、００１３、００１９、図１）
【発明の開示】
【発明が解決しようとする課題】
【０００５】
しかしながら、前記特許文献１に係るカバーは、容器の底面と、側面と、上面の縁とを覆うため、このカバーを取り付けると容器の中の商品が見えにくいという課題がある。この課題は、カバーを透明にしても、カバーを繰り返し使うとカバーに傷が付いて透明性が失われるため、やはり容器の中の商品が見えにくくなる。
【０００６】
また、前記特許文献２に係る容器は、本体ケースと蓋の内側に錠構造を備えるため、本体ケースと蓋との重ね目が露出する。そのために、この重ね目をこじ開けて、容器の中の商品が抜き取られてしまう。
【０００７】
そこで、この発明では、前記した問題を解決して、容器の中の商品が見えやすく、かつ、こじ開けることができない錠付きの容器を提供することを目的とする。
【課題を解決するための手段】
【０００８】
前記課題を解決するため、請求項１に係る発明では、錠付き容器１を、開口を有する容器本体２と、この容器本体の外側に嵌まり開口を塞ぐ蓋３と、この蓋と容器本体とを固定する固定部材４とを備えて構成した。そして、容器本体の底部の縁に延出板２ａを形成し、蓋の端部に鍔３ａを形成して、蓋を容器本体に嵌めることで鍔と延出板とを重ね、この重ねた鍔と延出板とを固定部材に形成した嵌合溝４ｂに差し込み、固定部材と容器本体に設けた錠構造によって着脱可能に固定するように構成した。
【０００９】
請求項２に係る発明では、前記錠構造を固定部材に取り付けた板ばね４ｃと、容器本体に形成した切欠き２ｂとを備えて構成し、磁石から成る鍵７によって、板ばねを切欠きから外すことで錠を開けるように構成した。
【００１０】
請求項３に係る発明では、前記錠構造を少なくとも２箇所に設け、かつ、それぞれの錠構造を隔て配置するように構成した。
【００１１】
請求項４に係る発明では、容器本体２と固定部材４とが対向する面のいずれか一方に、盗難防止タグ４ｆを取り付けるように構成した。
【発明の効果】
【００１２】
請求項１に係る発明によれば、延出板と鍔とを重ねて、この重ねた部分を嵌合溝によって覆うようにしたので、嵌合溝が錠付き容器を覆う面積を少なくでき、錠付き容器の中の商品を見えやすくできる。特に、延出板と鍔とを容器本体の底部において重ねるようにしたので、錠付き容器の側面からも錠付き容器の中を見ることができる。
【００１３】
さらに、請求項１に係る発明によれば、延出板と鍔との重ね目を嵌合溝で覆い、重ね目の露出を少なくしたので、延出板と鍔との重ね目をこじ開けて、錠付き容器の中の商品が抜き取られることを防ぐことができる。
【００１４】
請求項２に係る発明によれば、錠構造を板ばねと切欠きを備えて構成したので、錠構造を簡単な構造にすることができる。また、板ばねを固定部材に取り付けるようにしたので、固定部材を代金の清算場所で回収して、板ばねを繰り返し使用することができる。
【００１５】
請求項３に係る発明によれば、錠構造を少なくとも２箇所に設け、かつ、それぞれの錠構造を隔て配置するように構成したので、錠を開ける作業が煩雑になり盗難を防ぐことができる。
【００１６】
請求項４に係る発明によれば、容器本体と固定部材とが対向する面のいずれか一方に、盗難防止タグを取り付けるように構成したので、錠付き容器から盗難防止タグを無断で取り外すことができない。さらに、盗難防止タグを固定部材に取り付ければ、固定部材を代金の清算場所で回収して、盗難防止タグを繰り返し使用することができる。
【発明を実施するための最良の形態】
【００１７】
次に、この発明を実施するための最良の形態について、図面を参照しながら詳細に説明する。図１は実施形態に係る錠付き容器の斜視図である。（ａ）は錠付き容器の分解斜視図であり、（ｂ）は容器本体の固定部材と対向する面の斜視図である。なお、この実施形態では、指輪を収納する場合を想定して説明する。
【００１８】
図１の（ａ）に示すように、実施形態に係る錠付き容器１は、開口を有する容器本体２と、この容器本体２の外側に嵌めて開口を塞ぐ蓋３と、この蓋３が容器本体２から外れないように蓋３と容器本体２とを固定する固定部材４とを備えて構成される。
【００１９】
容器本体２は、底のある四角い形状の箱を有し、その箱の底部に四方に延び出た板状の延出板２ａが形成されている。そして、この延出板２ａの固定部材４と対向する面に、後記する板ばね４ｃ，４ｃと対向する位置に、凹状の切欠き２ｂ，２ｂが形成されている。ここでは、図１の（ｂ）に示すように、延出板２ａの４つの辺の全てに切欠き２ｂを形成し、いずれの方向からも容器本体２を固定部材４に差し込めるように構成した。
【００２０】
蓋３は、一方が開口した四角い形状の箱を有し、開口部の四方に外側に向けて鍔３ａが形成されている。この鍔３ａは、蓋３を容器本体２に嵌めた場合に、鍔３ａの縁と延出板２ａの縁とが合うように形成されている。さらに、この鍔３ａは、延出板２ａと接する面に隙間ができないように、延出板２ａに対して平行に形成されている。なお、蓋３は、錠付き容器１の中の商品が見えるように、透明な材料で形成されている。
【００２１】
固定部材４は、四角形の基板４ａと、その基板４ａの三方の縁に立設する嵌合溝４ｂと、基板４ａの両側部に取り付けた一対の磁性を有する金属製の板ばね４ｃ，４ｃと、嵌合溝４ｂの一辺に延設した保持板４ｄと、その保持板４ｄを設けた辺に嵌合する掛止部材４ｅとを備えて構成される。基板４ａは、その中央に凹部が形成され、その凹部に盗難防止タグ４ｆが張り付けられている。嵌合溝４ｂは、断面形状がコの字形であり、基板４ａの内側に向けて開口するように形成されている。
【００２２】
以上のように構成した錠付き容器１は、容器本体２に指輪５とその指輪５を保持する保持具６とを収納した状態で容器本体２に蓋３を嵌め、重なった延出板２ａと鍔３ａとを固定部材４に設けた嵌合溝４ｂに矢印の方向に差し込んで組み立てられる。
【００２３】
図２は、実施形態に係る錠付き容器に商品を収納した状態を示す斜視図である。図２に示すように、この実施形態に係る錠付き容器１は、延出板２ａと鍔３ａとを容器本体２の底部において、嵌合溝４ｂによって外嵌している。そのために、錠付き容器１の正面のみならず、側面からも錠付き容器１の中を見ることができる。さらに、延出板２ａと鍔３ａとが接する辺のうち、３つの辺を嵌合溝４ｂによって覆うことで、延出板２ａと鍔３ａとの重ね目が露出しないために、こじ開けることができない構造になっている。
【００２４】
図３は、実施形態に係る錠付き容器の錠構造を示す断面図である。（ａ）は施錠状態を示す断面図であり、（ｂ）は解錠状態を示す断面図である。図３の（ａ）に示すように、錠付き容器１は、容器本体２に蓋３を嵌めて固定部材４に矢印方向に差し込むと、固定部材４と容器本体２に設けた錠構造によって、蓋３が開かないように施錠される。この錠構造は、固定部材４に取り付けた板ばね４ｃと、容器本体２に形成した切欠き２ｂとを備えて構成される。
【００２５】
板ばね４ｃは、矢印に示す差し込み方向に平行に配置され、板ばね４ｃの基部が基板４ａの差し込み口近くに固定され、先端部が容器本体２側に付勢するように取り付けられている。そのため、図３の（ａ）に示すように、板ばね４ｃの先端部が切欠き２ｂの内面に引っ掛かり、容器本体２を固定部材４から引き抜くことができない。
【００２６】
一方、図３の（ｂ）に示すように、固定部材４側に磁石から成る鍵７を近づけると、板ばね４ｃの先端部が磁石に引き付けられる。そして、板ばね４ｃが切欠き２ｂから外れることで、容器本体２を固定部材４から引き抜くことができる。なお、この板ばね４ｃは、磁力の強い特殊な磁石によって引き付けられるようにした。さらに、錠構造を少なくとも２箇所に設け、かつ、それぞれの錠構造を隔て配置することで、複数の磁石、あるいは、複数の板ばねを覆うことができる大きな磁石でなければ、錠を開けることができないようにした。
【００２７】
図４は、実施形態に係る錠付き容器を陳列した状態を示す斜視図である。図４に示すように、錠付き容器１は、孔４ｇを有する掛止部材４ｅと、Ｕ字状の保持板４ｄとによって陳列棒８に引っ掛けて陳列される。この孔４ｇと保持板４ｄとは、所定の間隔を開けて設けられ、陳列棒８が孔４ｇと保持板４ｄとで２点支持されている。そして、錠付き容器１が商品の重みで前傾するのを保持板４ｄで保持することで、錠付き容器１が垂直に保てるように構成されている。このように、錠付き容器１を垂直の状態で陳列できることで、錠付き容器１の中の商品を正面から見ることができ、商品が見えやすくなる。
【００２８】
図５は、実施形態に係る錠付き容器の他の陳列状態を示す斜視図である。図５に示すように、錠付き容器１は、掛止部材４ｅを陳列溝９側にずらして爪４ｈ，４ｈを延出させ、この爪４ｈ，４ｈによって陳列溝９に引っ掛けて陳列される。
【００２９】
以上、この発明の実施形態について説明したが、この発明は前記実施形態に限定されない。例えば、この錠付き容器１に収納する商品は、指輪５に限られずＣＤやビデオテープでもよく、収納する商品に応じて錠付き容器１の形状を適宜変更できる。また、錠付き容器１の中の商品が見えやすいように、蓋３に拡大鏡を備えてもよく、容器本体２と固定部材４を透明な材料で形成してもよい。
【図面の簡単な説明】
【００３０】
【図１】（ａ）は実施形態に係る錠付き容器の斜視図のうち錠付き容器の分解斜視図であり、（ｂ）は実施形態に係る錠付き容器の斜視図のうち容器本体の個体部材と対向する面の斜視図である。
【図２】実施形態に係る錠付き容器に商品を収納した状態を示す斜視図である。
【図３】（ａ）は実施形態に係る錠付き容器の錠構造を示す断面図のうち施錠状態を示す断面図であり、（ｂ）は実施形態に係る錠付き容器の錠構造を示す断面図のうち解錠状態を示す断面図である。
【図４】実施形態に係る錠付き容器を陳列した状態を示す斜視図である。
【図５】実施形態に係る錠付き容器の他の陳列状態を示す斜視図である。
【符号の説明】
【００３１】
１      錠付き容器
２      容器本体
２ａ    延出板
２ｂ    切欠き
３      蓋
３ａ    鍔
４      固定部材
４ｂ    嵌合溝
４ｃ    板ばね
４ｆ    盗難防止タグ
７      鍵
【図１】
2006143315.tif 000003
【図２】
2006143315.tif 000004
【図３】
2006143315.tif 000005
【図４】
2006143315.tif 000006
【図５】
2006143315.tif 000007